(57)【要約】      （修正有）【課題】エアポンプを封入するジャケット袋に着目し、エアポンプの作動音，振動を効果的に低減させるよう構成する。【解決手段】熱可塑性ポリウレタン層を内層とし、ポリウレタン層を熱可塑性ポリウレタン層の表裏側に積層し、外装材，内装材をポリウレタン層の表裏側に積層した多層構造のシート材から袋状に縫製したジャケット袋２を備え、エアポンプ１をジャケット袋２に封入させてシートフレームにあてがい固定するブラケットプレート５に取り付ける。【選択図】図１
2011161943.tif 000002
【特許請求の範囲】
【請求項１】
熱可塑性ポリウレタン層を内層とし、ポリウレタン層を熱可塑性ポリウレタン層の表裏側に積層し、外装材，内装材をポリウレタン層の表裏側に積層した多層構造のシート材から袋状に縫製したジャケット袋を備え、エアポンプを該ジャケット袋に封入させてシートフレームにあてがい固定するブラケットプレートに取り付けてなることを特徴とするエアポンプ装備自動車用シート。
【請求項２】
エアポンプをジャケット袋に封入させてシートフレームにあてがい固定するブラケットプレートに取り付けるに、エアポンプのハーネス，エアチューブ等の関連部品を引き出すジャケット袋の開放口を該関連部品と共に縛り込んで該開放口を封止する結束バンドを一体に有するアンカークリップをジャケット袋の開放口側に備えると共に、ブラケットプレートへの係止部材をジャケット袋の底部側に備え、ブラケットプレートの止め穴に圧入嵌着するアンカークリップと、ブラケットプレートへの係止部材により、該開放口を結束バンドで封止したジャケット袋をブラケットプレートに取り付けてなることを特徴とする請求項１に記載のエアポンプ装備自動車用シート。
【請求項３】
エアポンプをジャケット袋に封入させてシートフレームにあてがい固定するブラケットプレートに取り付けるに、エアポンプのハーネス，エアチューブ等の関連部品を引き出すジャケット袋の開放口を該関連部品と共に縛り込んで該開放口を封止する結束バンドを一体に有するアンカークリップをジャケット袋の開放口側に備えると共に、ブラケットプレートへの引掛けフックをジャケット袋の底部側に縫い付けて備え、ブラケットプレートの止め穴に圧入嵌着するアンカークリップと、ブラケットプレートの板面に掛け止める引掛けフックにより、該開放口を結束バンドで封止したジャケット袋をブラケットプレートに取り付けてなることを特徴とする請求項１または２に記載のエアポンプ装備自動車用シート。
【発明の詳細な説明】
【技術分野】
【０００１】
本発明は、圧縮空気を作動機器に供給するエアポンプを備える自動車用シートに関するものである。
【背景技術】
【０００２】
従来、自動車用シートにおいては、圧縮空気を作動機器に供給するエアポンプを装備し、そのエアポンプの作動音，振動を低減させて着座者に感じさせないよう備え付けることが提案されている（特許文献１）。
【０００３】
そのエアポンプを備え付けるに、リング状の防振ゴムをブラケットプレートの板面に嵌込み装着し、スタットピンをシートフレームの通し穴より防振ゴムの貫通孔に圧入すると共に、ブッシュナットをスタットピンの軸突端側に嵌着することから、エアポンプを組み付けるブラケットプレートにより、エアポンプの作動音，振動の低減が図られている。
【０００４】
また、エアポンプは合成皮革等のジャケット袋に封入し、エアポンプを封入したジャケット袋をブラケットプレートにあてがい、ブラケットプレートと共に締付けベルトで抱込み保持することにより、エアポンプをシートフレームに取り付けることが採用されている。
【先行技術文献】
【特許文献】
【０００５】
【特許文献１】特開２００９−２２５８４３
【発明の概要】
【発明が解決しようとする課題】
【０００６】
本発明の解決しようとする課題は、主に、圧縮空気を作動機器に供給するエアポンプを封入するジャケット袋に着目し、エアポンプの作動音，振動を効果的に低減させるよう構成するところにある。
【０００７】
それに加えて、圧縮空気を作動機器に供給するエアポンプを備え付けるに、部品点数を削減し、エアポンプを封入したジャケット袋をブラケットプレートに容易に組み付けられるよう構成するところにある。
【課題を解決するための手段】
【０００８】
本願の請求項１に係る発明は、熱可塑性ポリウレタン層を内層とし、ポリウレタン層を熱可塑性ポリウレタン層の表裏側に積層し、外装材，内装材をポリウレタン層の表裏側に積層した多層構造のシート材から袋状に縫製したジャケット袋を備え、エアポンプを該ジャケット袋に封入させてシートフレームにあてがい固定するブラケットプレートに取り付けてなることを特徴とする。
【０００９】
本願の請求項２に係る発明は、エアポンプをジャケット袋に封入させてシートフレームにあてがい固定するブラケットプレートに取り付けるに、エアポンプのハーネス，エアチューブ等の関連部品を引き出すジャケット袋の開放口を該関連部品と共に縛り込んで該開放口を封止する結束バンドを一体に有するアンカークリップをジャケット袋の開放口側に備えると共に、ブラケットプレートへの係止部材をジャケット袋の底部側に備え、ブラケットプレートの止め穴に圧入嵌着するアンカークリップと、ブラケットプレートへの係止部材により、該開放口を結束バンドで封止したジャケット袋をブラケットプレートに取り付けてなることを特徴とする。
【００１０】
本願の請求項３に係る発明は、エアポンプをジャケット袋に封入させてシートフレームにあてがい固定するブラケットプレートに取り付けるに、エアポンプのハーネス，エアチューブ等の関連部品を引き出すジャケット袋の開放口を該関連部品と共に縛り込んで該開放口を封止する結束バンドを一体に有するアンカークリップをジャケット袋の開放口側に備えると共に、ブラケットプレートへの引掛けフックをジャケット袋の底部側に縫い付けて備え、ブラケットプレートの止め穴に圧入嵌着するアンカークリップと、ブラケットプレートの板面に掛け止める引掛けフックにより、該開放口を結束バンドで封止したジャケット袋をブラケットプレートに取り付けてなることを特徴とする。
【発明の効果】
【００１１】
本願の請求項１に係る発明では、熱可塑性ポリウレタン層とポリウレタン層との複合構造により、熱可塑性ポリウレタン層がポリウレタン層で保形乃至は保持されるが、熱可塑性ポリウレタン層がエアポンプの作動中に生ずる低温な発熱で軟化し、その軟化した熱可塑性ポリウレタン層がエアポンプの作動音，振動を吸収することにより、エアポンプの作動音，振動を効果的に低減することができる。
【００１２】
本願の請求項２に係る発明では、ブラケットプレートの止め穴に圧入嵌着するアンカークリップと、ブラケットプレートへの係止部材とから、開放口を結束バンドで封止したジャケット袋をブラケットプレートに取り付けことにより、エアポンプを封入したジャケット袋をブラケットプレートに少ない部品点数で容易に組み付けられる。
【００１３】
本願の請求項３に係る発明では、ブラケットプレートの止め穴に圧入嵌着するアンカークリップと、ブラケットプレートの板面に掛け止める引掛けフックとから、開放口を結束バンドで封止したジャケット袋をブラケットプレートに取り付けことにより、エアポンプを封入したジャケット袋をブラケットプレートに少ない部品点数で容易に組み付けられる。
【図面の簡単な説明】
【００１４】
【図１】図１は、本発明に係るエアポンプ装備自動車用シートにおけるエアポンプの装着部分を示す説明図である。
【図２】図２は、図１のジャケット袋を形成するシート材を示す側面図である。
【図３ａ】図３ａは、図２のシート材を縫製する第１工程を示す説明図である。
【図３ｂ】図３ｂは、図３ａに続くシート材を縫製する第２工程を示す説明図である。
【図３ｃ】図３ｃは、図３ｂに続くシート材を縫製する第３工程を示す説明図である。
【図４】図４は、図１のジャケット袋に備える引掛けフックを示す説明図である。
【図５】図５は、図１のエアポンプ，ブラケットプレートをシートフレームに取り付けて示す説明図である。
【発明を実施するための形態】
【００１５】
図示実施の形態は、エアポンプをシートクッションのクッションフレームに取り付ける場合に適用されている。
【００１６】
図示の実施の形態では、図１で示すようにエアポンプ１をジャケット袋２に封入し、結束バンド３ａを一体に有するアンカークリップ３ｂと、Ｊ字状の引掛けフック４とにより、エアポンプ１を封入したジャケット袋２をブラケットフレーム５の板面に取り付けることにより、ジャケット袋２に封入したエアポンプ１がシートクッションに備え付けられている。
【００１７】
ジャケット袋２は、図２で示すように二枚のシート部材２ａ，２ｂを重ね合わせて形成されている。各シート部材２ａ，２ｂは、熱可塑性ポリウレタン層２０ａ，２１ａを内層とし、ポリウレタン層２０ｂ，２１ｂを熱可塑性ポリウレタン層２０ａ，２１ａの表裏側に積層し、ナイロントリコットハーフの外装材２０ｃ，内装材２１ｃをポリウレタン層２０ｂ，２１ｂの表裏側に積層した多層構造に形成されている。シート部材２ａ，２ｂは、熱可塑性ポリウレタン層２０ａ，２１ａを相対させて重ね合わされる。
【００１８】
二枚のシート部材２ａ，２ｂは、図３ａで示すように内側のシート部材２ａに対し、外側のシート部材２ｂが相対的に縦，横の大きい広い面積を有するよう裁断形成されている。その各シート部材２ａ，２ｂを熱可塑性ポリウレタン層２０ａ，２１ａで相対させることにより、内側の二辺が整合するよう重ね合わせ、シート部材２ｂの内側に位置するシート部材２ａの二辺をＬ字状に縫い合わす（符号「Ｌ１」参照）。
【００１９】
次に、図３ｂで示すようにシート部材２ｂの残余部分をシート部材２ａの裏面側に回し込んで側部辺から底部辺をＬ字状に縫い合わす（符号「Ｌ２」参照）ことにより、ジャケット袋２の底部側を縫製する。更に、図３ｃで示すように結束バンド３ａを挿通する通し穴２３ａ，２３ｂをパンチで開口することにより開放口２２の端部側に二個設ける。
【００２０】
ジャケット袋２の開放口側には、結束バンド３ａを一体に有するアンカークリップ３ｂが備えられている（図１参照）。結束バンド３ａは、エアポンプ１のハーネス１０，エアチューブ１１等の関連部品を引き出す開放口２２を関連部品１０，１１と共に縛り込んで開放口２２を封止するよう設けられている。
【００２１】
ジャケット袋２の底部側には、図４で示すようにＪ字状の引掛けフック４が縫い付けて備えられている（図１参照）。この引掛けフック４は、ジャケット袋２の底部側を縫製する（符号「Ｌ２」参照）のと共縫いすることにより、ジャケット袋２を縫製する作業の省力化乃至は作業工程の短縮化が図れる。
【００２２】
エアポンプ１を取り付けるブラケットプレート５は、図５で示すようにシートフレーム６にスポット溶接で取付け固定されている（×印参照）。そのブラケットプレート５の取り付けにあたり、ブラケットプレート５，シートフレーム６の曲げ形状から、エアポンプ１を取り付けるブラケットプレート５の板面とシートフレーム６の板面との間に間隔を保つとよい。
【００２３】
ブラケットプレート５の板面には、アンカークリップ３ｂを圧入嵌着する止め穴５ａと、引掛けフック４の突起を係合する掛止め穴５ｂが設けられている（図１参照）。アンカークリップ３ｂは、止め穴５ａの穴縁に係合する逆さ爪３０と、ブラケットプレート５を介して逆さ爪３０の反対側から止め穴５ａの穴縁にあてがう受け鍔３１ｂとを備えて形成されている。
【００２４】
ジャケット袋２は、開放口２２を結束バンド３ａで封止し、ブラケットプレート５の止め穴５ａに圧入嵌着するアンカークリップ３ａと、ブラケットプレート５の板面に掛け止める引掛けフック４により、ブラケットプレート５の板面に取り付けられる。
【００２５】
このジャケット袋２では、熱可塑性ポリウレタン層２０ａ，２１ａとポリウレタン層２０ｂ，２１ｂとの複合構造により、熱可塑性ポリウレタン層２０ａ，２１ａがポリウレタン層２０ｂ，２１ｂで保形乃至保持されるが、熱可塑性ポリウレタン層２０ａ，２１ａがエアポンプ１の作動中に生ずる低温な発熱で軟化し、軟化した熱可塑性ポリウレタン層２０ａ，２１ａがエアポンプ１の作動音，振動を吸収することによりエアポンプ１の作動音，振動を効果的に低減することができる。
【００２６】
また、開放口２２を結束バンド３ａで封止し、ブラケットプレート５の止め穴５ａに圧入嵌着するアンカークリップ３ｂと、ブラケットプレート５の板面に掛け止める引掛けフック４とから、ジャケット袋２をブラケットプレート５の板面に取り付けられることにより、エアポンプ１を封入したジャケット袋２をブラケットプレート５に少ない部品点数で容易に組み付けられる。
【００２７】
上述した実施の形態では、ジャケット袋２の底部側を引掛けフック４でブラケットプレート５の板面に掛け止める場合で説明したが、貼合せファスナ等の係止部材で取り付けるようにできる。貼合せファスナの場合、片方をジャケット袋２の底部側に縫着し、他方を両面接着テープでブラケットプレート５の板面に貼り付けることにより備え付けられる。
【符号の説明】
【００２８】
１      エアポンプ
２      ジャケット袋
２ａ，２ｂ    シート部材
２０ａ，２１ａ    熱可塑性ポリウレタン層
２０ｂ、２１ｂ    ポリウレタン層
２０ｃ、２１ｃ    外装材、内装材
３ａ    結束バンド
３ｂ    アンカークリップ
４      引掛けフック
５      ブラケットプレート
【図１】
2011161943.tif 000003
【図２】
2011161943.tif 000004
【図３ａ】
2011161943.tif 000005
【図３ｂ】
2011161943.tif 000006
【図３ｃ】
2011161943.tif 000007
【図４】
2011161943.tif 000008
【図５】
2011161943.tif 000009